(57)【要約】【課題】手首式血圧計用カフにおいて、圧迫用流体袋の膨張方向を手首部側となるような固定部材を採用することにより、エアーポンプの小型化、および血圧測定制度の向上を可能とする手首式血圧計用カフを提供する。【解決手段】この手首式血圧計用カフ１０は、手首部の所定の動脈を圧迫するため、所定量の流体が供給される圧迫用流体袋１６と、この圧迫用流体袋１６を手首部に装着するための固定部材１０Ａとを備える。固定部材１０Ａは、圧迫用流体袋１６を膨張させた状態において、弾性変形しない剛性を有する略リング状の形状をなす、第１半割リング状固定具１１および第２半割リング状固定具１２を有する。【選択図】　　　　図３
2004008240.tif 000002
【特許請求の範囲】
【請求項１】
手首部の動脈を圧迫するため、所定量の流体が供給される圧迫用流体袋と、前記圧迫用流体袋を手首部に装着するための固定部材とを備える手首式血圧計用カフであって、
前記固定部材は、所定の隙間領域からなる開口端部を有し、その内面側において前記圧迫用流体袋を保持し、前記圧迫用流体袋を膨張させた状態において、弾性変形しない剛性を有する略リング状の固定具と、
前記固定具を手首部に装着した状態において、前記固定具を手首部側に締付けるための締付け手段と、
を備える、手首式血圧計用カフ。
【請求項２】
前記固定具は、お互いの一方端部同士が相互に回動可能に連結される、第１および第２半割リング状固定具を有する、請求項１に記載の手首式血圧計用カフ。
【請求項３】
前記固定具の内面部には、尺骨茎状突起との当接を避けるための凹部領域が設けられる、請求項１または２に記載の手首式血圧計用カフ。
【請求項４】
前記圧迫用流体袋が、前記固定具の内面において選択された領域にのみ設けられる、請求項１から３のいずれかに記載の手首式血圧計用カフ。
【発明の詳細な説明】
【０００１】
【発明の属する技術分野】
この発明は、生体に装着して血圧を測定する血圧計に使用する血圧計用カフに関し、より特定的には、手首部において血圧を測定する手首式血圧計に用いられる手首式血圧計用カフの構造に関する。
【０００２】
【従来の技術】
一般に手首式血圧計に用いられる手首式血圧計用カフの構造としては、内部に空気などの流体が供給される圧迫用流体袋と生体部位に装着する固定部材とから構成されている。この固定部材を用いて手首に圧迫用流体袋を生体部位に装着した後に、圧迫用流体袋に空気などの気体を供給することで、生体部位の動脈を圧迫し、圧迫用流体袋の加圧過程または排気過程で血圧が測定される。この固定部材としては、帯状のカフバンドや、特開平９−２２４９１６号公報に開示される保持用弾性板などが挙げられる。
【０００３】
【発明が解決しようとする課題】
しかしながら、上記構造からなる従来の手首式血圧計用カフにおいては、固定部材が、手首部への装着の簡便化等の観点から弾性を有する部材から構成されているために、圧迫用流体袋の膨らみに応じて固定部材が伸縮・変形する問題があった。図１０を参照して、この問題について説明する。
【０００４】
図１０（Ａ），（Ｂ）は手首部の横断面を示す図であり、（Ａ）は圧迫用流体袋５１が膨張する前の状態を示し、（Ｂ）は圧迫用流体袋５１が膨張している状態を示すものである。図１０（Ａ）に示すように、圧迫用流体袋５１と固定部材として帯状のカフバンド５２とからなる手首式血圧計用カフ５０を手首部１０１に巻きつける。その後、図１０（Ｂ）に示すように、圧迫用流体袋５１を膨張させることにより、橈骨１０２の近傍に位置する橈骨動脈１０４および尺骨１０３の近傍に位置する尺骨動脈１０５が圧迫される。
【０００５】
しかし、カフバンド５２は弾性を有する部材から構成されているために、圧迫用流体袋５１は手首部１０１側に膨張すると共に、カフバンド５２が伸縮・変形して、手首部１０１から離れる方向にも大きく膨張する。このとき、図１０（Ａ），（Ｂ）に示すように、橈骨１０２からカフバンド５２までの距離は、距離（ｄ１）増加することになる。この距離（ｄ１）が大きいことは、手首部１０１を圧迫するために、圧迫用流体袋５１を大きく膨らませる必要があることを意味する。そのため、圧迫用流体袋５１を膨らませるためのエアーポンプの流量も増加させる必要が生じ、エアーポンプの小型化を図ることが困難となる。
【０００６】
また、圧迫用流体袋５１の膨らみに伴い圧迫用流体袋５１自体に張力が発生するが、圧迫用流体袋５１が大きく膨張するほど発生する張力は大きくなり、被圧迫血管壁への圧力伝達効率が劣るため、被圧迫血管壁に伝わる圧力が空気袋内圧力よりも小さいとういう現象が起き、正しく血圧測定が行なえなくなるという問題も生じる。
【０００７】
オシロメトリック法の測定原理は、被圧迫血管内壁圧力が圧迫用流体袋内圧力と等しいという仮定の下に成り立っており、被圧迫血管内壁圧力を圧迫用流体袋内圧力と推定している。そのため、被圧迫血管の圧迫力不足が起きると、被圧迫血管がつぶれた時点で被圧迫血管内壁圧力よりも圧迫用流体袋内圧力の高くなり、血圧が高めに測定されてしまう。
【０００８】
また、固定部材として、カフバンドよりも硬質の弾性板を手首部に巻き付ける方法や、複数の湾曲状のカバーをヒンジを介在して連結させて手首部に巻き付ける方法もあるが、いずれも材質的、もしくは締結方法に弾性部材を用いているため、上述した問題が生じる。
【０００９】
したがって、この発明は上記課題を解決するためになされたものであり、手首式血圧計用カフにおいて、圧迫用流体袋の膨張方向を手首部側となるような固定部材を採用することにより、エアーポンプの小型化、および血圧測定制度の向上を可能とする手首式血圧計用カフを提供することを目的とする。
【００１０】
【課題を解決するための手段】
この発明に基いた手首式血圧計用カフにおいては、手首部の動脈を圧迫するため、所定量の流体が供給される圧迫用流体袋と、上記圧迫用流体袋を手首部に装着するための固定部材とを備える手首式血圧計用カフであって、上記固定部材は、所定の隙間領域からなる開口端部を有し、その内面側において上記圧迫用流体袋を保持し、上記圧迫用流体袋を膨張させた状態において、弾性変形しない剛性を有する略リング状の固定具と、上記固定具を手首部に装着した状態において、上記固定具を手首部側に締付けるための締付け手段とを備える。
【００１１】
この構成により、圧迫用流体袋を膨張させた状態においても、固定具は弾性変形しないことから、圧迫用流体袋の膨張による圧迫力の大部分は、手首部の動脈を圧迫させる圧力に寄与することになる。その結果、圧迫用流体袋の容量の小型化が図れるため、必要な空気流量を少なくすることができることにより、エアーポンプの小型化を実現させることが可能になる。また、圧迫用流体袋の膨張量の減少により、圧迫用流体袋に生じる張力が小さく抑えられることにより、正確な血圧測定を実現させることも可能になる。
【００１２】
また、上記手首式血圧計用カフにおいて好ましくは、上記固定具は、お互いの一方端部同士が相互に回動可能に連結される、第１および第２半割リング状固定具を有する。これにより、第１および第２半割リング状固定具を大きく拡げた状態にて装着することが可能になり、手首式血圧計用カフの手首部への装着における利便性を向上させることが可能になる。また、第１および第２半割リング状固定具が相互に回動可能であるため、手首部の太さに応じて容易に対応させることが可能となる。
【００１３】
また、上記手首式血圧計用カフにおいて好ましくは、上記固定具の内面部には、尺骨茎状突起との当接を避けるための凹部領域が設けられる。凹部領域には、尺骨突起との当接部分に対応する領域に窪みを設ける場合、また貫通穴（開口領域）を設ける場合、また窪みや貫通穴の部分にスポンジ等の柔軟材料で埋められた場合も含むものである。本発明における固定具は弾性変形しないため、固定具を手首部に装着した場合、固定具が尺骨茎状突起に当接して、尺骨茎状突起において痛みが生じたりすることが考えられる。そこで、尺骨茎状突起との当接を避けるための凹部領域を設けることにより、固定具が尺骨茎状突起に当接することを回避し、快適に手首式血圧計用カフを手首部に装着することが可能となる。また、尺骨茎状突起が凹部領域に嵌ることにより、手首部に対する手首式血圧計用カフの位置決めを実現させることも可能となる。
【００１４】
また、上記手首式血圧計用カフにおいて好ましくは、上記圧迫用流体袋が、上記固定具の内面において選択された領域にのみ設けられる。本発明においては、上記したように、圧迫用流体袋の膨張による圧迫力の大部分を動脈の圧迫力に寄与させることが可能であるため、たとえば、特定の動脈のみの圧迫を目的とする場合には、選択された領域にのみ圧迫用流体袋を設けることで、確実に特定の動脈のみを圧迫させることが可能となる。その結果、流体袋に送り込むエアー等の流体の必要量を少なくすることで、さらにエアーポンプの小型化を図ることが可能になる。
【００１５】
【発明の実施の形態】
以下、この発明に基づいた手首式血圧計用カフの各実施の形態について、図を参照しながら説明する。
【００１６】
（実施の形態１）
（手首式血圧計用カフ１０の構造）
この発明に基づいた本実施の形態における手首式血圧計用カフ１０の構造について、図１および図２を参照しながら説明する。なお、図１は、手首式血圧計用カフ１０の構造を示す断面図であり、図２は、手首式血圧計用カフ１０の固定部材１０Ａのみの構造を示す全体斜視図である。
【００１７】
両図を参照して、この手首式血圧計用カフ１０は、手首部の所定の動脈を圧迫するため、所定量の流体が供給される圧迫用流体袋１６と、この圧迫用流体袋１６を手首部に装着するための固定部材１０Ａとを備える。固定部材１０Ａは、圧迫用流体袋１６を膨張させた状態において、弾性変形しない剛性を有する略リング状の形状をなす、第１半割リング状固定具１１および第２半割リング状固定具１２を有する。この第１半割リング状固定具１１および第２半割リング状固定具１２の材質としては、厚さ１ｍｍ〜２０ｍｍ程度の、アクリル樹脂、ＡＢＳ樹脂その他の熱可塑性プラスチックや、金属等が用いられる。
【００１８】
第１半割リング状固定具１１および第２半割リング状固定具１２は、お互いの一方端部同士に凸部領域１１ａ、およびこの凸部領域１１ａを受け入れる凹部領域１２が設けられ、相互に回動可能にヒンジ１３により連結されている。
【００１９】
また、第１半割リング状固定具１１および第２半割リング状固定具１２の他方端側には、固定部材１０Ａを手首部に装着した状態において、固定部材１０Ａを手首部側に締付けるための締付け手段として、第１半割リング状固定具１１側にスリット１４ｓが設けられたレール１４が設けられ、第２半割リング状固定具１２側に、スリット１４ｓに沿ってスライドし、締付けることによりレール１４に対するスライドを固定する締結ネジ１５が設けられている。このレール１４も、弾性変形しないようにする。
【００２０】
なお、第１半割リング状固定具１１および第２半割リング状固定具１２の他方端側においては、全ての太さの手首部に対応させる観点から、所定の隙間領域からなる開口端部１７が設けられている。
【００２１】
（装着状態および作用効果）
次に、上記構成からなる手首式血圧計用カフ１０を手首部１０１に装着した状態を図３に示す。図３において、（Ａ）は圧迫用流体袋１６が膨張する前の状態を示し、（Ｂ）は圧迫用流体袋１６が膨張している状態を示すものである。
【００２２】
圧迫用流体袋１６を膨張させた場合、この手首式血圧計用カフ１０においては、圧迫用流体袋１６から第１半割リング状固定具１１および第２半割リング状固定具１２を外側に拡げようとする力が働く。しかし、第１半割リング状固定具１１および第２半割リング状固定具１２は変形せず、また、第１半割リング状固定具１１と第２半割リング状固定具１２との端部側が、それぞれ橈骨１０２および尺骨１０３に当接して、手首部１０１を充分に抱え込む状態となる（図３（Ｂ）中、Ｘ１およびＸ２で囲まれる領域）。その結果、図３に示すように橈骨１０２と固定具との間距離（ｄ２）を、図１０に示す距離（ｄ１）よりも小さくすることを可能としている。
【００２３】
つまり、圧迫用流体袋１６の膨張による圧迫力の大部分は、手首部１０１の動脈を圧迫させる圧力に寄与することになる。その結果、圧迫用流体袋１６の容量の小型化が図れるため、必要な空気流量を少なくすることができることにより、エアーポンプの小型化を実現させることが可能になる。さらに、圧迫用流体袋１６の小型化により、圧迫用流体袋１６に生じる張力が小さく抑えられ、正確な血圧測定を実現させることも可能になる。
【００２４】
また、第１半割リング状固定具１１および第２半割リング状固定具１２を大きく拡げた状態にて装着することが可能になり、手首式血圧計用カフ１０の手首部１０１への装着における利便性を向上させることが可能になる。また、第１半割リング状固定具１１および第２半割リング状固定具１２が相互に回動可能であるため、手首部の太さに応じて容易に対応させることが可能となる。
【００２５】
（実施の形態２）
本実施の形態における手首式血圧計用カフの特徴は、固定部材の構造にあるため、以下、この固定部材の構造についてのみ説明する。なお、他の構造は、上記実施の形態１における手首式血圧計用カフ１０と同じである。以下、図４を参照して、固定部材１０Ｂの構造について説明する。なお、図４は、固定部材１０Ｂの構造を示す全体斜視図である。
【００２６】
（固定部材１０Ｂの構造）
この実施の形態における固定部材１０Ｂは、上記実施の形態１における固定部材１０Ａの構造と比較した場合、第１半割リング状固定具１１の所定領域に、手首部に存在する尺骨茎状突起との当接を避けるための開口領域１１ｈを設けている点にある。他の構造は、上記固定部材１０Ａの構造と同じである。
【００２７】
（作用効果）
以上、本実施の形態における固定部材１０Ｂを用いた手首式血圧計用カフにおいても、上記実施の形態１と同様の作用効果を得ることできる。また、本実施の形態における第１半割リング状固定具１１は弾性変形しないため、第１半割リング状固定具１１を手首部１０１に装着した場合、第１半割リング状固定具１１が尺骨茎状突起に当接して、尺骨茎状突起において痛みが生じたりすることが考えられる。
【００２８】
そこで、尺骨茎状突起との当接を避けるための開口領域１１ｈを設けることにより、第１半割リング状固定具１１が尺骨茎状突起に当接することを回避し、快適に手首式血圧計用カフを手首部１０１に装着することが可能となる。また、尺骨茎状突起が開口領域１１ｈに嵌ることにより、手首部１０１に対する手首式血圧計用カフの位置決めを実現させることも可能となる。
【００２９】
なお、本実施の形態においては、第１半割リング状固定具１１に開口領域１１ｈを設けるようにしたが、開口領域に限定されず、第１半割リング状固定具１１の内面部に、尺骨茎状突起との当接を避けるための凹部領域が設けられれば良い。
【００３０】
（実施の形態３）
本実施の形態における手首式血圧計用カフの特徴も、固定部材の構造にあるため、以下、この固定部材の構造についてのみ説明する。なお、他の構造は、上記実施の形態１における手首式血圧計用カフ１０と同じである。以下、図５を参照して、固定部材１０Ｃの構造について説明する。なお、図５は、固定部材１０Ｃの構造を示す全体斜視図である。
【００３１】
（固定部材１０Ｃの構造）
この実施の形態における固定部材１０Ｃは、上記実施の形態１における固定部材１０Ａの構造と比較した場合、第１半割リング状固定具１１と第２半割リング状固定具１２とのヒンジ１３による接続位置が、軸心Ｃからずれた位置に設けられている点にある。他の構造は、上記固定部材１０Ａの構造と同じである。
【００３２】
（作用効果）
以上、本実施の形態における固定部材１０Ｃを用いた手首式血圧計用カフにおいても、上記実施の形態１と同様の作用効果を得ることできる。
【００３３】
（実施の形態４）
本実施の形態における手首式血圧計用カフの特徴も、固定部材の構造にあるため、以下、この固定部材の構造についてのみ説明する。なお、他の構造は、上記実施の形態１における手首式血圧計用カフ１０と同じである。以下、図６を参照して、固定部材１０Ｄの構造について説明する。なお、図６は、固定部材１０Ｄの構造を示す全体斜視図である。
【００３４】
（固定部材１０Ｄの構造）
この実施の形態における固定部材１０Ｄは、上記実施の形態１における固定部材１０Ａの構造と比較した場合、固定部材１０Ｄを手首部に装着した状態において、固定部材１０Ｄを手首部側に締付ける（図中矢印Ａ方向）ための締付け手段として、レール１４および締結ネジ１５に代わり、第１半割リング状固定具１１と第２半割リング状固定具１２とを連結するヒンジ３３に、バネ部材を内蔵させたものを用いる点にある。他の構造は、上記固定部材１０Ａの構造と同じである。
【００３５】
（作用効果）
以上、本実施の形態における固定部材１０Ｄを用いた手首式血圧計用カフにおいても、上記実施の形態１と同様の作用効果を得ることできる。また、本実施の形態においては、第１半割リング状固定具１１と第２半割リング状固定具１２との間隔を相互に広げようとした場合、ヒンジ３３に内蔵されたバネ部材により、常に第１半割リング状固定具１１と第２半割リング状固定具１２とを閉ざす方向（図中Ａ方向）に付勢力が作用し、固定部材１０Ｄを手首部に装着する際の装着作業の簡易化を図ることが可能になる。
【００３６】
（実施の形態５）
本実施の形態においては、図７に示すように、上記実施の形態２における固定具１０Ｂに手首式血圧計の本体部分３０を装着したものである。
【００３７】
上記実施の形態２における手首式血圧計用カフ１０においては、圧迫用流体袋１６の容量の小型化が図れるため、必要な空気流量を少なくすることができることにより、エアーポンプの小型化を実現させることを可能としている。その結果、図７に示すように、本体部分３０の薄型化が可能となり、本手首式血圧計用カフ１０が適用される手首式血圧計全体としての小型化を図ることを可能としている。
【００３８】
なお、実施の形態２における固定部材１０Ｂに限らず、実施の形態１における固定部材１０Ａ、実施の形態３における固定部材１０Ｃに適用することも可能である。
【００３９】
（実施の形態６）
本実施の形態における手首式血圧計用カフの特徴は、圧迫用流体袋の配置に特徴を有している。上記実施の形態１から５における手首式血圧計用カフ１０においては、図１に示すように固定部材１０Ａの内面のほぼ全域にわたって圧迫用流体袋１６を配置している。しかし、本実施の形態における手首式血圧計用カフ２０においては、図８に示すように、固定部材１０Ａの内面において選択された領域にのみ圧迫用流体袋２６が設けられている点にある。
【００４０】
この構造からなる手首式血圧計用カフ２０を、手首部１０１に装着した状態を図９に示す。図９において、（Ａ）は圧迫用流体袋２６が膨張する前の状態を示し、（Ｂ）は圧迫用流体袋２６が膨張している状態を示すものである。
【００４１】
本実施の形態においては、上記したように、圧迫用流体袋の膨張による圧迫力の大部分を動脈の圧迫力に寄与させることが可能である。したがって、図示するように橈骨動脈１０４のみの圧迫を目的とする場合には、橈骨動脈１０４に対応する選択された領域にのみ圧迫用流体袋２６を設けることで、確実に橈骨動脈１０４のみを圧迫させることが可能となる。その結果、局所圧迫において、極めて小さな圧迫用流体袋２６においても、正確に血圧の測定を行なうことを可能としている。また、圧迫用流体袋２６に必要な空気流量をさらに少なくすることができることにより、エアーポンプのさらなる小型化を実現させることが可能になるなお、上記各実施の形態においては、第１半割リング状固定具１１および第２半割リング状固定具１２を用いた場合について説明しているが、全体として同様の形状からなり、手首部を通過させることができる開口領域を有する一体物のリング状部材であっても同様の作用効果を得ることが可能である。また、第１半割リング状固定具１１および第２半割リング状固定具１２の２分割構造に限らず、２以上の分割構造の採用も可能である。
【００４２】
したがって、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【００４３】
【発明の効果】
この発明に基いた手首式血圧計用カフによれば、エアーポンプの小型化を実現させることが可能になる。また、これにより、本手首式血圧計用カフが適用される手首式血圧計全体としての小型化を図ることも可能となる。さらに、圧迫用流体袋の膨張量の減少により、圧迫用流体袋に生じる張力が小さく抑えられることにより、正確な血圧測定を実現させることも可能になる。
【図面の簡単な説明】
【図１】この発明に基いた実施の形態１における手首式血圧計用カフ１０の構造を示す断面図である。
【図２】この発明に基いた実施の形態１における手首式血圧計用カフ１０の固定部材１０Ａのみの構造を示す全体斜視図である。
【図３】この発明に基いた実施の形態１における手首式血圧計用カフ１０を手首部１０１に装着した状態を示す図である。
【図４】この発明に基いた実施の形態２における手首式血圧計用カフの固定部材１０Ｂのみの構造を示す全体斜視図である。
【図５】この発明に基いた実施の形態３における手首式血圧計用カフの固定部材１０Ｃのみの構造を示す全体斜視図である。
【図６】この発明に基いた実施の形態４における手首式血圧計用カフの固定部材１０Ｄのみの構造を示す全体斜視図である。
【図７】この発明に基いた実施の形態５における、上記実施の形態２における固定具１０Ｂに手首式血圧計の本体部分３０を装着した構造を示す全体斜視図である。
【図８】この発明に基いた実施の形態６における手首式血圧計用カフ２０の構造を示す断面図である。
【図９】この発明に基いた実施の形態６における手首式血圧計用カフ２０を手首部１０１に装着した状態を示す図である。
【図１０】従来の技術における手首式血圧計用カフ５０を手首部１０１に装着した状態を示す図である。
【符号の説明】
１０，２０　手首式血圧計用カフ、１０Ａ，１０Ｂ，１０Ｃ，１０Ｄ　固定部材、１１　第１半割リング状固定具、１１ａ　凸部領域、１１ｈ　開口領域、１２　第２半割リング状固定具、１２ａ　凹部領域、１３，３３　ヒンジ、１４ｓスリット、１４　レール、１５　締結ネジ、１６　圧迫用流体袋、１７　開口端部、３０　本体部分、１０１　手首部、１０２　橈骨、１０３　尺骨、１０４
橈骨動脈、１０５　尺骨動脈。
【図１】
2004008240.tif 000003
【図２】
2004008240.tif 000004
【図３】
2004008240.tif 000005
【図４】
2004008240.tif 000006
【図５】
2004008240.tif 000007
【図６】
2004008240.tif 000008
【図７】
2004008240.tif 000009
【図８】
2004008240.tif 000010
【図９】
2004008240.tif 000011
【図１０】
2004008240.tif 000012